(57)【特許請求の範囲】
【請求項１】
四角形に枠組みされて壁面に固定されるベース枠と、
前記ベース枠を介して前記壁面に沿って固定され、正面に固定溝を有するシート取付枠と、
前記シート取付枠のそれぞれの前記固定溝に各縁部が配置されるフレキシブルフェイスシートと、
前記各縁部とともに前記固定溝に挿入され、前記各縁部を前記固定溝に固定して前記フレキシブルフェイスシートを展張保持する押さえバーと、
前記シート取付枠の外周の少なくとも一辺部に沿って一体的に固定されるとともに前記壁面にも固定され、前記壁面から突出して前記フレキシブルフェイスシートに臨む面に照明部を有し、前記シート取付枠との入隅部に傾斜面を有する照明ユニットと、
前記入隅部に設けられ、前記押さえバーの挿入された前記固定溝を覆う化粧片部と、この化粧片部から所定角度を有して延出し前記傾斜面に螺着固定される翼状片部とを有する内隅化粧枠と、
前記照明ユニットが隣接しないシート取付枠の前記押さえバーの挿入された前記固定溝を覆う化粧片部と、この化粧片部から垂直に曲がって前記シート取付枠の外周面を覆って固定される固定片部とを有するＬ字形状の外隅化粧枠と、
を具備することを特徴とする看板の構造。
【請求項２】
請求項１に記載の看板の構造であって、
前記シート取付枠は、前記照明ユニットが当接する外周面に螺合溝が形成され、
前記照明ユニットは、前記シート取付枠及び前記壁面に対向する断面Ｌ字形の固定板部が、上側から貫通して前記螺合溝に螺合する連結ビスにより前記シート取付枠に固定されるとともに、正面側から貫通する固定ビスにより前記壁面に固定されることを特徴とする看板の構造。
【請求項３】
請求項２に記載の看板の構造であって、
前記照明ユニットは、前記シート取付枠と反対の外側面に、前記螺合溝へ固定される前記固定板部を露出させる開閉カバーを備えることを特徴とする看板の構造。
【発明の詳細な説明】
【技術分野】
【０００１】
本発明は、看板の構造に関する。
【背景技術】
【０００２】
従来、建物の外壁、例えば正面入口の上方壁面に設置される、所謂ファサード看板や、壁面看板として、建物壁面にアクリルやアルミなどの表示パネルを固定し、その面にアームを介して照明光を照射するよう構成される外照看板（特許文献１，３）や、アクリル板等の光を透過させる表示パネルの内側から蛍光灯やＬＥＤなどで照明をあてる内照看板（特許文献２）が知られている。これら外照看板や内照看板の表示パネルには、広告や案内などの文字や図柄などの情報が印刷される。
【０００３】
表示パネルを備えて構成される看板は、連続した長尺な看板としたい場合、運搬が困難となるため、所定の長さで分断される構造となる。そのため、看板の面につなぎ目が発生し、見栄えがとても悪い。特に文字の位置が分断されるのは好ましくない。また、表示パネルの素材によって、熱膨張により伸縮が起き、分断構造では、隙間が空いたり、変形や破損の原因となったりする。隙間が空くと、内照式では光が漏れることもある。また、表示パネルの重量を支える構造とすることで、枠組構造など看板全体の重量が大きくなり、可搬性が悪く、さらには、重いことと高所作業であることにより設置作業も大掛かりとなる。
【０００４】
また、看板は、内容の入れ替え、例えば店名が変わったり、表示内容が変わる場合や、メンテナンスにより、交換作業が必要になる。このような場合に、特許文献３の外照看板等では、フレームの一側を外し、表示パネルをスライドして入替する煩雑な作業が発生する。内照式看板の場合では、表示パネルを外した後、再取り付けする煩雑な作業が発生する。また、特許文献３の外照看板では、部品点数が多く、照明装置との兼ね合いもあり、分解、組み立てが容易でない。枠組や照明部分を壁面から取り外す作業も発生する。壁面から枠組を外すとなると、当初の取り付け時に施工された防水用のコーキングを除去する必要が出てくる。一方、特許文献２の内照看板の場合、蛍光灯やＬＥＤなどを収容する構造から厚みを有することとなり、壁面からの突出長が大きくなる問題がある。
【０００５】
このような表示パネルで構成される看板の欠点である重量，施工性，可搬性を解消するものとして、板材よりなる表示パネルに換えてフレキシブルフェイスシート（以下、「ＦＦシート」とも称す）を用いた看板がある。ＦＦシートを用いた看板には、外照看板、内照看板がある。ＦＦシートは、シート材を展張する構造であり、表示パネルに比べ軽量であるため、取り扱いが容易で、施工性が向上する。
【先行技術文献】
【特許文献】
【０００６】
【特許文献１】特開平５−２７３９２６号公報
【特許文献２】実用新案登録第３１５３４０５号公報
【特許文献３】特開２０１３−６５００８号公報
【発明の概要】
【発明が解決しようとする課題】
【０００７】
しかしながら、薄型化が可能なＦＦシートを用いた外照看板の場合、そのシート取付枠に照明装置を近づけることが可能となるが、照明装置を、ＦＦシートの展張されるシート取付枠に近接させることが容易ではなく、従来看板ではシート取付枠と別体の照明装置を離間させて配置する構成が多い。
また、ＦＦシートを用いた看板では、ＦＦシートの展張のために、ＦＦシートの縁部をシート取付枠に固定するが、その構造は、ＦＦシートの面にテンションをかけて縁部を固定するものである。このため、ＦＦシートを用いた従来の看板では、表示内容の交換が必要な場合、ＦＦシートをシート取付枠ごと壁面から取り外し、地上でＦＦシートの張り替えを行うのが一般的であった。
これらのことから、ＦＦシートを用いた外照看板においては、薄型化、部品点数の削減、軽量化を可能とするため、施工性を向上させるため、簡素な構造としたい要請がある。また、メンテナンス性を向上させるため、看板面（ＦＦシート）の交換作業を容易にし、看板表示内容の変更に対応させやすくしたい要請もある。
【０００８】
本発明は上記状況に鑑みてなされたもので、その目的は、簡素な構造で軽量化でき、しかも、施工性及びメンテナンス性も向上させることができる看板の構造を提供することにある。
【課題を解決するための手段】
【０００９】
次に、上記の課題を解決するための手段を、実施の形態に対応する図面を参照して説明する。
本発明の請求項１記載の看板１１の構造は、四角形に枠組みされて壁面２７に固定されるベース枠１３と、
前記ベース枠１３を介して前記壁面２７に沿って固定され、正面に固定溝４１を有するシート取付枠１５と、
前記シート取付枠１５のそれぞれの前記固定溝４１に各縁部８１が配置されるフレキシブルフェイスシート１７と、
前記各縁部８１とともに前記固定溝４１に挿入され、前記各縁部８１を前記固定溝４１に固定して前記フレキシブルフェイスシート１７を展張保持する押さえバー１９と、
前記シート取付枠１５の外周の少なくとも一辺部に沿って一体的に固定されるとともに前記壁面２７にも固定され、前記壁面２７から突出して前記フレキシブルフェイスシート１７に臨む面に照明部５１を有し、前記シート取付枠１５との入隅部に傾斜面５７を有する照明ユニット２１と、
前記入隅部に設けられ、前記押さえバー１９の挿入された前記固定溝４１を覆う化粧片部８５と、この化粧片部８５から所定角度を有して延出し前記傾斜面５７に螺着固定される翼状片部８７とを有する内隅化粧枠２３と、
前記照明ユニット２１が隣接しないシート取付枠１５の前記押さえバー１９の挿入された前記固定溝４１を覆う化粧片部８５と、この化粧片部８５から垂直に曲がって前記シート取付枠１５の外周面を覆って固定される固定片部９１とを有するＬ字形状の外隅化粧枠２５と、
を具備することを特徴とする。
【００１０】
この看板１１の構造では、予めベース枠１３の外周にシート取付枠１５が四角形に組み付けられ、この一体となった四角枠体が壁面２７に固定される。この四角枠体は、フレキシブルフェイスシート（ＦＦシート）１７の交換時、壁面２７から取り外す必要がない。つまり、ベース枠１３及びシート取付枠１５からなる四角枠体は、看板１１として全てを撤去する以外、壁面２７に取り付けたままにできる。この四角枠体の少なくとも１つのシート取付枠１５に沿うようにして、照明ユニット２１が連結される。例えば四角枠体の上辺に照明ユニット２１が連結される場合、壁面２７に固定された四角枠体の上辺のシート取付枠１５に照明ユニット２１が載置状態となり、照明ユニット２１は、このシート取付枠１５に固定される。また、照明ユニット２１は、シート取付枠１５に連結固定されるのに加え、壁面２７へも固定される。これにより、ベース枠１３、シート取付枠１５及び照明ユニット２１は、容易な施工で一体となって、高強度に壁面２７への固定が可能となる。
そして、看板１１の構造では、壁面２７への固定部材が、ベース枠１３、シート取付枠１５及び照明ユニット２１の３部材のみで構成できるので、取付施工が容易となる。さらに、このうちベース枠１３とシート取付枠１５とは、予め四角枠体として組み立ててから壁面２７へ固定できるので、これによっても取付施工を簡便にできる。
また、照明ユニット２１は、シート取付枠１５及び壁面２７に固定される部分と、照明ユニット２１の先端化粧面９７を有する部分とが一体の成形材として形成される。これにより、看板１１の構造は、部品点数を少なくし、軽量化を達成しつつ、簡素な構造で、かつ容易な施工で、しかも、高強度に壁面２７への固定を実現できる。
また、壁面２７に固定されたシート取付枠１５は、各辺部に固定溝４１を正面に有し、この固定溝４１に挿入したＦＦシート１７の縁部８１を押さえバー１９により固定し、内隅化粧枠２３と外隅化粧枠２５とで見栄えよく覆うことができる。交換の生じたＦＦシート１７は、内隅化粧枠２３と外隅化粧枠２５とを正面から取り外し、表出する押さえバー１９を抜去するのみで、容易に新規のＦＦシート１７との交換が可能となる。その結果、看板１１の構造によれば、簡素な構造で軽量化でき、しかも、施工性及びメンテナンス性も向上させることができる。
【００１１】
本発明の請求項２記載の看板１１の構造は、請求項１に記載の看板１１の構造であって、
前記シート取付枠１５は、前記照明ユニット２１が当接する外周面に螺合溝３９が形成され、
前記照明ユニット２１は、前記シート取付枠１５及び前記壁面２７に対向する断面Ｌ字形の固定板部５９が、上側から貫通して前記螺合溝３９に螺合する連結ビス４９により前記シート取付枠１５に固定されるとともに、正面側から貫通する固定ビス６７により前記壁面２７に固定されることを特徴とする。
【００１２】
この看板１１の構造では、シート取付枠１５が、螺合溝３９を有する。螺合溝３９は、照明ユニット２１が当接するシート取付枠１５の外周面に形成される。螺合溝３９は、溝を挟んで対向する一対の溝内壁面のそれぞれに、溝の長手方向に渡って延在する複数の凸条を有する。凸条は、それぞれの溝内壁面において、溝開口から溝底に向かって多段状に配置される。螺合溝３９は、一対の溝内壁面から突出したそれぞれの凸条同士の間隙が、連結ビス４９のねじ外径よりも小さく設定されている。これにより、連結ビス４９は、螺合溝３９の長手方向の任意の位置において連結ビス４９の螺合が可能となっている。
照明ユニット２１は、シート取付枠１５及び壁面２７に対向する断面Ｌ字形の固定板部５９を有する。この固定板部５９は、照明ユニット２１の主要骨部材であるユニットフレーム６１の基端側に形成される。ユニットフレーム６１は、例えばアルミ合金等からなる押し出し成形材とすることができる。このため、ユニットフレーム６１は、複雑な断面形状を任意の長さの長尺材として製作できる。ユニットフレーム６１は、固定板部５９の先端側に、先端化粧面９７を有する照明収容部５５が一体に成形されている。つまり、ユニットフレーム６１は、壁面２７に固定される固定板部５９と先端化粧面９７とが１つの成形材に設けられている。
照明ユニット２１のユニットフレーム６１は、固定板部５９を外側から貫通して、螺合溝３９に螺合する連結ビス４９により、シート取付枠１５に固定される。また、ユニットフレーム６１は、固定板部５９に、正面側から貫通する固定ビス６７により壁面２７に固定される。
これにより、看板１１の構造は、ベース枠１３と、シート取付枠１５と、照明ユニット２１とが一体となって壁面２７に固定される。照明ユニット２１は、主要骨部材であるユニットフレーム６１が、先端化粧面９７を有し、壁面２７及びシート取付枠１５に固定される固定板部５９を有するので、簡単な構造としつつ、かつ高強度に取り付けが行え、ＦＦシート１７に光出射面を容易に近接させた配置位置となる。
【００１３】
本発明の請求項３記載の看板１１の構造は、請求項２に記載の看板１１の構造であって、
前記照明ユニット２１は、前記シート取付枠１５と反対の外側面に、前記螺合溝３９へ固定される前記固定板部５９を露出させる開閉カバー７１を備えることを特徴とする。
【００１４】
この看板１１の構造では、照明ユニット２１に、開閉カバー７１が備えられる。開閉カバー７１は、シート取付枠１５と反対となる照明ユニット２１の外側面に設けられる。より具体的には、開閉カバー７１は、ユニットフレーム６１における固定板部５９の壁対向片部６５に、ヒンジ部が設けられる。この開閉カバー７１は、ヒンジ部を回転中心に回転されることにより、ユニットフレーム６１の外方空間に固定板部５９を露出させる。固定板部５９は、ユニットフレーム６１の外方空間に露出する連結片部６３が、外方より貫通する連結ビス４９により、シート取付枠１５の螺合溝３９に固定される。螺合溝３９に固定された連結ビス４９は、開閉カバー７１が閉められることにより、連結片部６３とともに開閉カバー７１により覆われることになる。
【発明の効果】
【００１５】
本発明に係る請求項１記載の看板の構造によれば、壁面に固定されるシート取付枠の正面からＦＦシートの展張作業を行うことができ、その際に、シート取付枠や照明ユニットを壁面から取り外す必要はなく、内隅化粧枠と外隅化粧枠とを取り外し、押さえバーを抜去するのみで、容易に新規のＦＦシートとの交換が可能となる。特に、照明ユニットとシート取付枠との正面側の入隅部に傾斜面が形成され、押さえバーを覆う内隅化粧枠がビス固定されることから、この固定ビスの挿入方向が照明ユニットの突出方向と平行にならず、照明ユニットから離間する斜め方向から固定ビスを挿入でき、工具の操作に支障なく締結作業が容易に行えるようになっており、このことからＦＦシートの展張作業、押さえバーの固定作業が全て正面から行えるようになっている。
その結果、この看板の構造によれば、照明ユニットとシート取付枠とを一体的とし簡素な構造で軽量化でき、しかも、施工性及びメンテナンス性も向上させることができる。
【００１６】
本発明に係る請求項２記載の看板の構造によれば、照明ユニットとシート取付枠とを一体に構成でき、簡素な構造及び簡単な施工で看板を高強度に壁面に取り付けできる。
【００１７】
本発明に係る請求項３記載の看板の構造によれば、簡単な施工で照明ユニットとシート取付枠とを連結できるとともに、照明ユニットを高強度にかつ見栄えよく組み付けできる。
【図面の簡単な説明】
【００１８】
【図１】本発明の実施形態に係る看板の構造の縦断面図である。
【図２】看板上部の分解縦断面図である。
【図３】看板本体部の縦断面図である。
【図４】看板本体部の分解斜視図である。
【図５】看板本体部の施工手順を示す斜視図である。
【図６】看板本体部の施工手順を示す縦断面図である。
【図７】照明ユニットの施工手順を示す斜視図である。
【図８】照明ユニットの施工手順を示す分解縦断面図である。
【図９】ＦＦシートの施工手順を示す分解斜視図である。
【図１０】ＦＦシートの施工手順を示す分解縦断面図である。
【図１１】内隅化粧枠及び外隅化粧枠の施工手順を示す分解縦断面図である。
【図１２】内隅化粧枠及び外隅化粧枠の要部拡大斜視図である。
【図１３】壁面に看板が取付完了した建物の斜視図である。
【発明を実施するための形態】
【００１９】
以下、本発明に係る実施形態を図面を参照して説明する。
図１は、本発明の実施形態に係る看板の構造の縦断面図である。
本実施形態に係る看板の構造を備える看板１１は、ベース枠１３と、シート取付枠１５と、フレキシブルフェイスシート（ＦＦシート１７）と、押さえバー１９と、照明ユニット２１と、内隅化粧枠２３と、外隅化粧枠２５と、を主要な構成として有する。
【００２０】
ベース枠１３は、四角形に枠組みされて建物の壁面２７に固定される。ベース枠１３は、直線状の横枠２９及び縦枠３１を有する。横枠２９は、延在方向に直交する断面形状が略Ｌ字形状となり、ベース枠１３の上辺と下辺に上下逆向きで横方向に延在して配置される。縦枠３１は、延在方向に直交する断面形状がコ字形状となり、横枠２９の延在方向に適宜な間隔で複数本が上下の横枠２９に渡って配置される（図５参照）。横枠２９と縦枠３１は、ボルト３３及びナット３５とにより締結されて四角形の枠状に組まれる。枠状に組まれたベース枠１３は、縦枠３１が、壁固定ビス３７或いはアンカーボルトにより壁面２７に固定される。
【００２１】
図２は、看板上部の分解縦断面図である。
ベース枠１３の外周には、シート取付枠１５が四角枠状に組み付けられる。シート取付枠１５は、延在方向に直交する断面形状が、螺合溝３９と、固定溝４１と、ベース固定部４３とを有して形成される。シート取付枠１５は、ベース枠１３の上下に配置される横枠２９に沿ってその外側に四角枠状となって固定される。この固定は、シート取付枠１５の外側からの外側固定ビス４５と、ベース枠１３の内側からの内側固定ビス４７とにより二重に行われる。つまり、シート取付枠１５は、ベース枠１３を介して壁面２７に沿ってベース枠１３の外周を囲むように固定されることになる。四角枠状となったシート取付枠１５は、正面に固定溝４１を有する。固定溝４１は、四角枠状に組まれたシート取付枠１５の各辺に沿って正面視で四角形の無端状の溝となる。また、螺合溝３９は、四角枠状に組まれたシート取付枠１５の外周面に位置することとなる。
【００２２】
シート取付枠１５の螺合溝３９は、溝を挟んで対向する一対の溝内壁面のそれぞれに、溝の長手方向（図２の紙面垂直方向）に渡って延在する複数の凸条（図示略）を有する。凸条は、螺合溝３９の溝内壁面において、溝開口から溝底に向かって多段状に配置される。螺合溝３９は、延在方向の任意の位置に連結ビス４９を螺合できるので、再螺合の際に同じ螺合位置とする必要がなく、螺着不良を生じにくくすることができる。
【００２３】
照明ユニット２１は、シート取付枠１５の外周の少なくとも一辺部に沿って一体的に固定される。本実施形態では、照明ユニット２１は、シート取付枠１５の上辺のみに沿って一体的に固定される。照明ユニット２１は、壁面２７から突出して、ＦＦシート１７に臨む面に照明部５１を有する。照明部５１は、ＬＥＤ等の光源５３を収容する別体の照明収容部５５を有する。また、照明ユニット２１は、シート取付枠１５とで入隅部を成す面に傾斜面５７を有する。この傾斜面５７には、上記と同様の螺合溝３９が形成される。
【００２４】
照明ユニット２１は、シート取付枠１５及び壁面２７に対向する断面Ｌ字形の固定板部５９を、壁面側の基端部に有する。この固定板部５９は、照明ユニット２１の主要骨部材であるユニットフレーム６１の基端側に形成される。ユニットフレーム６１は、固定板部５９の外方空間に、螺合溝３９に連結される連結片部６３が露出する。固定板部５９は、この連結片部６３が上方より貫通する連結ビス４９により、シート取付枠１５の螺合溝３９に固定される。
【００２５】
また、ユニットフレーム６１は、固定板部５９に、壁面２７に対向する壁対向片部６５を有する。ユニットフレーム６１は、正面側から固定板部５９の壁対向片部６５を貫通する固定ビス６７（図１参照）により壁面２７にも固定される。さらに、照明ユニット２１は、固定板部５９の壁対向片部６５がアンカーボルト６９により壁面２７に固定されてもよい。
【００２６】
照明ユニット２１は、シート取付枠１５と反対の外側面、本実施形態では上面に、固定板部５９を露出させる開閉カバー７１を備える。開閉カバー７１は、壁対向片部６５の正面に形成されたヒンジ保持溝７３に、カバー基端の揺動軸部７５が回転自在に保持されて開閉自在となる。開閉カバー７１は、閉止状態で、揺動先端が、カバー固定ビス７７によりユニットフレーム６１にビス固定されて開放が規制される。
【００２７】
図３は、看板本体部７９の縦断面図である。
ＦＦシート１７は、シート取付枠１５のそれぞれの固定溝４１に各縁部８１が配置される。本実施形態ではシート取付枠１５が四角形なので、固定溝４１も四角形となる。ＦＦシート１７は、この四角形の固定溝４１に若干オーバーラップして配置される。
【００２８】
押さえバー１９は、長手方向に直交する断面形状がＬ字形状に形成される。押さえバー１９は、ＦＦシート１７の各縁部８１とともに固定溝４１に挿入され、各縁部８１を固定溝４１に固定してＦＦシート１７を展張保持する。押さえバー１９は、バー固定ビス８３によりＦＦシート１７の縁部８１を貫通して固定溝４１の溝底に固定される。
【００２９】
押さえバー１９の挿入された固定溝４１は、内隅化粧枠２３または外隅化粧枠２５により覆われる。内隅化粧枠２３は、照明ユニット２１が取り付けられた上記の入隅部に設けられ、押さえバー１９の挿入された固定溝４１を覆う化粧片部８５と、この化粧片部８５から所定角度を有して延出し傾斜面５７に平行となって螺着固定される翼状片部８７とを有する。内隅化粧枠２３の化粧片部８５裏面には、外隅化粧枠２５をビス固定するための一対のビス螺合部８９を有し、長手方向の両端となる側方より外隅化粧枠２５が固定される（図１２参照）。
【００３０】
外隅化粧枠２５は、Ｌ字形状に形成され、照明ユニット２１が隣接しないシート取付枠１５の固定溝４１を覆う化粧片部８５と、この化粧片部８５から垂直に曲がってシート取付枠１５の外周面を覆って固定される固定片部９１とを有する。外隅化粧枠２５の化粧片部８５も、側方より他の外隅化粧枠２５をビス固定するための一対のビス螺合部８９を有する。
【００３１】
図４は、看板本体部７９の分解斜視図である。
このように、看板の構造では、本体部分が四角形の看板本体部７９となる。看板本体部７９は、壁面２７に固定されるベース枠１３の外周に、シート取付枠１５が固定される。そして、シート取付枠１５の正面に配置された四角形の固定溝４１は、ＦＦシート１７の縁部８１が配置され、この縁部８１が押さえバー１９とともに固定溝４１に挿入される。固定溝４１に挿入されたＦＦシート１７と押さえバー１９は、シート取付枠１５の外周に固定される外隅化粧枠２５と、照明ユニット２１の傾斜面５７に固定される内隅化粧枠２３とにより覆われる。
【００３２】
次に、看板の構造を組み立てる施工手順を説明する。
【００３３】
［看板本体部の取付］
図５は、看板本体部７９の施工手順を示す斜視図である。
看板１１を施工するには、先ず、ベース枠１３を予め組立、その外周にシート取付枠１５を固定して、ＦＦシート１７の展張される前のユニット単位の看板本体部７９を、予め地上や工場等で組み立てる。
【００３４】
図６は、看板本体部７９の施工手順を示す縦断面図である。
壁面２７の位置を確認し、看板本体部７９をユニット単位で壁面２７に取り付ける。看板本体部７９は、ベース枠１３の縦枠３１を固定ビス６７により壁面２７へ固定する。看板としての全長となる各ユニットのジョイントを行いながら、横方向を真っ直ぐ一体化した看板本体部７９を完成させる。
【００３５】
［照明ユニットの取付］
図７は、照明ユニット２１の施工手順を示す斜視図である。
壁面２７の位置を確認し、看板本体部７９に対して、照明ユニット２１をユニット単位で取り付ける。
【００３６】
図８は、照明ユニット２１の施工手順を示す分解縦断面図である。
照明ユニット２１は、看板本体部７９のシート取付枠１５の上辺に、固定板部５９を載置し、その後、開閉カバー７１の開かれたユニットフレーム６１の上方から、連結片部６３を貫通させた連結ビス４９を、シート取付枠１５の螺合溝３９に固定する。また、固定板部５９の壁対向片部６５を壁固定ビス３７により壁面２７に固定する。照明ユニット２１の各ユニットは、ジョイントと連結配線を行って、照明ユニット２１の取り付けを完成させる。なお、照明ユニット２１は、一次側電源との結線を行い、点灯試験を行う。照明ユニット２１の開閉カバー７１を固定し、ジョイント部の防水処理を行う。また、壁面２７と照明ユニット２１や看板本体部７９との接合部分にコーキングなどの処理を行う。
【００３７】
［ＦＦシートの張込み］
図９は、ＦＦシート１７の施工手順を示す分解斜視図である。
ＦＦシート１７は、巻回状態（図４参照）で施工現場に搬入され、展開させてシート取付枠１５への位置合わせを確認する。この際、ＦＦシート１７は、左または右側の縁部８１と、上側の縁部８１とを、テープや両面テープ等により仮止めする。
【００３８】
図１０は、ＦＦシート１７の施工手順を示す分解縦断面図である。
次いで、ＦＦシート１７は、先ず、照明ユニット２１側となる上側を、押さえバー１９でシート上側の縁部８１を固定溝４１へ押し入れて固定する。全体のテンションを確認しながら下側の縁部８１を固定溝４１へ固定する。同様に、右側または左側の縁部８１を順次に張力を加えながら固定溝４１へ固定する。このように、看板の構造は、地上に下ろした看板本体部にＦＦシート１７を張込む従来構造と異なり、壁面２７に固定した看板本体部７９（シート取付枠１５）の正面に、ＦＦシート１７を直接張込むことができる。
【００３９】
［外隅化粧枠と内隅化粧枠の取り付け］
図１１は、内隅化粧枠２３及び外隅化粧枠２５の施工手順を示す分解縦断面図である。
看板本体部７９にＦＦシート１７が張込まれたら、外隅化粧枠２５と内隅化粧枠２３とが取り付けられる。看板本体部７９におけるシート取付枠１５の左右の縦辺と、下辺に、外隅化粧枠２５を固定する。外隅化粧枠２５の固定は、固定片部９１を、シート取付枠１５の螺合溝３９に、連結ビス４９を螺合して行う。
【００４０】
また、シート取付枠１５の上辺に、内隅化粧枠２３を取り付ける。内隅化粧枠２３は、翼状片部８７をユニットフレーム６１に形成された傾斜面５７の螺合溝３９に、連結ビス４９を螺合して行う。
【００４１】
図１２は、内隅化粧枠２３及び外隅化粧枠２５の要部拡大斜視図である。
左右の外隅化粧枠２５と、下辺の外隅化粧枠２５とは、化粧片部８５のコーナ部が４５度にカットされて突き合わされる。一方、左右の外隅化粧枠２５の上端は、化粧片部８５の正面に、内隅化粧枠２３の化粧片部８５が重ねられる。内隅化粧枠２３は、化粧片部８５の背面側に形成されているビス螺合部８９（図３参照）に、外隅化粧枠２５の固定片部９１を貫通した側面ビス９３にて螺着される。これにより、看板の構造は、壁面２７への取付が完了する。施工の完了した看板の構造では、ＦＦシート１７の４辺が、同一幅の化粧片部８５により見栄えよく枠取りされることになる。
【００４２】
図１３は、壁面２７に看板１１が取付完了した建物の斜視図である。
このようにして、看板の構造は、建物の例えば正面入口９５の上方における壁面２７に、所謂ファサード看板として取り付けできる。看板の構造によれば、外照式看板として、ＦＦシート１７が、照明ユニット２１により照らされる。この際、照明ユニット２１は、庇となり、軒下の照明も兼ねる。そのため、この看板の構造によれば、ＦＦシート１７に加え、店先の照明にも寄与させることができる。つまり、内照看板では看板１１のみの照明となるが、看板の構造によれば、照明ユニット２１の照明光を看板下の照明としても有効利用が可能となる。
【００４３】
なお、看板の構造は、看板本体部７９に、押さえバー１９や、外隅化粧枠２５及び内隅化粧枠２３が取り付けられた状態で、現場に搬入されることが望ましい。すなわち、上述した看板本体部の取り付け時には、シート取付枠１５に押さえバー１９や外隅化粧枠２５、内隅化粧枠２３が取り付けられた状態とされ、ＦＦシート１７の施工時（ＦＦシートの張込みの際）に、これら押さえバー１９や、外隅化粧枠２５及び内隅化粧枠２３を取り外し、ＦＦシート１７の張込み後に、これらの部材（１９，２３，２５）が再度取り付け・固定される。これにより、工場出荷時や搬送時における部品点数を少なくし、可搬性を高めることができるとともに、欠品の生じることも抑制できる。
【００４４】
次に、上記した構成の作用を説明する。
【００４５】
本実施形態に係る看板の構造では、矩形に枠組みされたベース枠１３が、壁面２７に固定される。このベース枠１３の外周には、シート取付枠１５が、壁面２７に沿うようにして固定される。シート取付枠１５は、壁面２７と反対側の正面に、ＦＦシート１７の縁部８１に沿うように凹設された固定溝４１を有する。
【００４６】
表示内容の付されたＦＦシート１７は、各縁部８１が固定溝４１に配置される。例えば四角形のＦＦシート１７の場合では、４つの辺に沿う各縁部８１が、固定溝４１を覆うように配置される。各縁部８１が固定溝４１に配置されたＦＦシート１７は、押さえバー１９により各縁部８１が固定溝４１に挿入される。これにより、ＦＦシート１７は、各縁部８１が押さえバー１９とともに固定溝４１に挿入されて、シート取付枠１５の正面に展張された状態で保持される。
【００４７】
シート取付枠１５の外周の少なくとも一辺部には、照明ユニット２１が、一体的に固定される。この照明ユニット２１は、シート取付枠１５に連結固定されるのに加え、壁面２７にも直接固定される。従って、照明ユニット２１は、直交する２つの平面の一方が壁面側へ固定され、他方がシート取付枠１５へ固定されることになる。これにより、看板の構造は、照明ユニット２１が壁面２７のみに固定される場合や、シート取付枠１５のみに固定される場合に比べ、壁面２７への固定強度を高めることができる。
【００４８】
照明ユニット２１は、連結されたシート取付枠１５よりも前側へ延出し、ＦＦシート１７に臨むシート直交面に照明部５１を有する。このため、照明ユニット２１は、ＦＦシート１７に光出射面を容易に近接させて配置させることができる。
【００４９】
また、照明ユニット２１は、シート取付枠１５に沿って固定される。照明ユニット２１は、シート取付枠１５の正面に対し、この正面に入隅部で交わる。照明ユニット２１には、シート取付枠１５よりも前側へ突出するに従って、シート取付枠１５よりも外側へ傾斜する傾斜面５７が形成される。この傾斜面５７には、押さえバー１９を覆う内隅化粧枠２３がビス固定される。内隅化粧枠２３は、翼状片部８７が傾斜面５７にビス固定されるので、固定ビス６７の挿入方向が照明ユニット２１の突出方向と平行にならない。つまり、固定ビス６７を照明ユニット２１から離間する斜め方向から挿入でき（図１１参照）、工具９９の操作に支障なく締結作業が容易に行えるようになっている。
【００５０】
また、シート取付枠１５は、照明ユニット２１が隣接しないシート取付枠１５の固定溝４１が外隅化粧枠２５により覆われる。外隅化粧枠２５は、シート取付枠１５の外側面にビス固定されて容易に着脱が可能となる。これにより、ＦＦシート１７は、内隅化粧枠２３及び外隅化粧枠２５が外され、各縁部８１を固定している押さえバー１９が固定溝４１から取り外されれば、容易にシート取付枠１５からの取り外しが可能となる。また、ＦＦシート１７は、各縁部８１を押さえバー１９により固定溝４１に固定し、内隅化粧枠２３、外隅化粧枠２５で覆えば、容易に再取り付けが可能となる。この場合、ベース枠１３やシート取付枠１５を外さなくてもよいので、壁面２７に対する固定ビス６７の脱着などが無く、壁面２７の劣化を防ぐことができる。
【００５１】
このように、看板の構造では、予めベース枠１３の外周にシート取付枠１５が四角形に組み付けられ、この一体となった四角枠体が壁面２７に固定される。この四角枠体は、ＦＦシート１７の交換時、壁面２７から取り外す必要がない。つまり、ベース枠１３及びシート取付枠１５からなる四角枠体は、看板１１を撤去する以外、壁面２７に取り付けたままにできる。この四角枠体の少なくとも１つのシート取付枠１５に沿うようにして、照明ユニット２１が連結される。例えば四角枠体の上辺に照明ユニット２１が連結される場合、壁面２７に固定された四角枠体の上辺のシート取付枠１５に照明ユニット２１が載置され、照明ユニット２１は、この上辺のシート取付枠１５に固定される。また、照明ユニット２１は、シート取付枠１５に連結固定されるのに加え、壁面２７へも固定される。これにより、ベース枠１３、シート取付枠１５及び照明ユニット２１は、容易な施工で一体となって、高強度に壁面２７への固定が可能となる。
【００５２】
また、看板１１は、全体が分割構造となる。特に、看板本体部７９は、分割してもよいので、可搬性・運搬性が良好となる。ＦＦシート１７も、巻回状態で運べるので表示パネルに比べ、運搬が楽になる。
【００５３】
そして、看板の構造では、壁面２７への固定部材が、ベース枠１３、シート取付枠１５及び照明ユニット２１の３部材のみで構成できるので、取付施工が容易となる。さらに、このうちベース枠１３とシート取付枠１５とは、予め四角枠体として組み立ててから壁面２７へ固定できるので、これによっても取付施工を簡便にできる。
【００５４】
また、照明ユニット２１は、シート取付枠１５及び壁面２７に固定される部分と、先端化粧面９７（図１参照）を有する部分とが一体の成形材となるユニットフレーム６１として形成される。ユニットフレーム６１は、先端化粧面９７の後方に、別体の照明収容部５５が取り付けられる。これにより、看板の構造は、部品点数を少なくし、軽量化を達成しつつ、簡素な構造で、かつ容易な施工で、しかも、高強度に壁面２７に固定できるようになる。
【００５５】
また、壁面２７に固定されたシート取付枠１５は、各辺部に固定溝４１を有し、この固定溝４１に挿入したＦＦシート１７の縁部８１を押さえバー１９により固定し、内隅化粧枠２３と外隅化粧枠２５とで見栄えよく覆うことができる。交換の生じたＦＦシート１７は、内隅化粧枠２３と外隅化粧枠２５とを取り外し、押さえバー１９を抜去するのみで、容易に新規のＦＦシート１７との交換が可能となる。その結果、この看板の構造では、簡素な構造で軽量化でき、しかも、施工性及びメンテナンス性も向上させることができる。
【００５６】
また、この看板の構造では、シート取付枠１５が、螺合溝３９を有する。螺合溝３９は、照明ユニット２１が当接するシート取付枠１５の外周面に形成される。螺合溝３９は、溝を挟んで対向する一対の溝内壁面のそれぞれに、溝の長手方向に渡って延在する複数の凸条を有する。螺合溝３９は、一対の溝内壁面から突出したそれぞれの凸条同士の間隙が、連結ビス４９のねじ外径よりも小さく設定されている。これにより、連結ビス４９は、螺合溝３９の長手方向の任意の位置において連結ビス４９の螺合が可能となっている。
【００５７】
照明ユニット２１は、シート取付枠１５及び壁面２７に対向する断面Ｌ字形の固定板部５９を有する。この固定板部５９は、照明ユニット２１の主要骨部材であるユニットフレーム６１の基端側に形成される。ユニットフレーム６１は、例えばアルミ合金等からなる押し出し成形材とすることができる。このため、ユニットフレーム６１は、複雑な断面形状を任意の長さの長尺材として容易に製作できる。ユニットフレーム６１は、固定板部５９の先端側に、先端化粧面９７を有する照明収容部５５が一体に成形されている。これにより、部品点数の低減、構造の簡素化を実現させている。
【００５８】
さらに、照明ユニット２１のユニットフレーム６１は、固定板部５９を外側から貫通して、螺合溝３９に螺合する連結ビス４９により、シート取付枠１５に固定される。また、ユニットフレーム６１は、固定板部５９に、正面側から貫通する固定ビス６７により壁面２７に固定される。これにより、看板の構造は、ベース枠１３と、シート取付枠１５と、照明ユニット２１とが一体となって壁面２７に固定される。照明ユニット２１は、主要骨部材であるユニットフレーム６１が、先端化粧面９７を有し、壁面２７及びシート取付枠１５に固定される固定板部５９を有するので、簡単な構造としつつ、かつ高強度に取り付けが行える。その結果、簡素な構造及び簡単な施工で看板１１を高強度に壁面２７に取り付けできる。
【００５９】
さらに、この看板の構造では、照明ユニット２１に、開閉カバー７１が備えられる。開閉カバー７１は、シート取付枠１５と反対となる照明ユニット２１の外側面に設けられる。より具体的には、開閉カバー７１は、ユニットフレーム６１における固定板部５９の壁対向片部６５に、ヒンジ部が設けられる。この開閉カバー７１は、ヒンジ部を回転中心に回転されることにより、ユニットフレーム６１の外方空間に固定板部５９を露出させる。固定板部５９は、ユニットフレーム６１の外方空間に露出する連結片部６３が、外方より貫通する連結ビス４９により、シート取付枠１５の螺合溝３９に固定される。螺合溝３９に固定された連結ビス４９は、開閉カバー７１が閉められることにより、連結片部６３とともに開閉カバー７１により覆われることになる。その結果、簡単な施工で照明ユニット２１とシート取付枠１５とを連結できるとともに、照明ユニット２１を高強度にかつ見栄えよく組み付けできる。
【００６０】
本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
【００６１】
例えば上記の構成例では、看板本体部７９が先に壁面２７に固定される場合を説明したが、この看板の構造では、照明ユニット２１が先に壁面２７に固定され、その後に看板本体部７９を固定する手順としてもよい。
【００６２】
また、照明ユニット２１の取り付け位置は、上述した看板本体部７９の上辺に限らず、下方でもよく、さらには、右や左などの側方でもよい。さらに、照明ユニット２１は、上下両方など、２箇所以上に設けてもよい。このような場合にも、照明ユニット２１と看板本体部７９のシート取付枠１５との入隅部に、内隅化粧枠２３を用いる構成とする。
さらに、この看板の構造では、看板本体部７９と照明ユニット２１とが、予め一体に固定された構造とし、これらが一度に壁面２７に取付施工されてもよい。
【００６３】
従って、本実施形態に係る看板の構造によれば、簡素な構造で軽量化でき、しかも、施工性及びメンテナンス性も向上させることができる。
【符号の説明】
【００６４】
１１…看板
１３…ベース枠
１５…シート取付枠
１７…フレキシブルフェイスシート（ＦＦシート）
１９…押さえバー
２１…照明ユニット
２３…内隅化粧枠
２５…外隅化粧枠
２７…壁面
３９…螺合溝
４１…固定溝
４９…連結ビス
５１…照明部
５７…傾斜面
５９…固定板部
６７…固定ビス
７１…開閉カバー
８１…縁部
８５…化粧片部
８７…翼状片部
９１…固定片部
【要約】
【課題】簡素な構造で軽量化でき、しかも、施工性及びメンテナンス性も向上させることができる看板の構造を提供する。
【解決手段】看板１１の構造において、壁面２７に固定されるベース枠１３と、ベース枠１３を介して壁面２７に沿って固定され正面に固定溝４１を有するシート取付枠１５と、固定溝４１に各縁部８１が配置されるＦＦシート１７と、各縁部８１を固定溝４１に固定してＦＦシート１７を展張保持する押さえバー１９と、シート取付枠１５に沿って固定されるとともに壁面２７にも固定され、ＦＦシート１７に臨む面に照明部５１を有し、シート取付枠１５との入隅部に傾斜面５７を有する照明ユニット２１と、入隅部に設けられ、押さえバー１９の挿入された固定溝４１を覆う内隅化粧枠２３と、照明ユニット２１が隣接しないシート取付枠１５の押さえバー１９の挿入された固定溝４１を覆う外隅化粧枠２５と、を設けた。
【選択図】  図１【図１】
0006754912.tif 000002
【図２】
0006754912.tif 000003
【図３】
0006754912.tif 000004
【図４】
0006754912.tif 000005
【図５】
0006754912.tif 000006
【図６】
0006754912.tif 000007
【図７】
0006754912.tif 000008
【図８】
0006754912.tif 000009
【図９】
0006754912.tif 000010
【図１０】
0006754912.tif 000011
【図１１】
0006754912.tif 000012
【図１２】
0006754912.tif 000013
【図１３】
0006754912.tif 000014